(57)【要約】【課題】  車イス使用時の防寒対策として、常に取り付けておく車イス用防寒具がない為、膝掛けと上着等別々に用意しなければならず、介助者が着せたり掛けたりして準備や使用後の片づけに時間を要していた。  また膝掛けは、ずり落ちることもあり、前部分だけの保温なので背面や足腰の防寒が不足し隙間風等の寒さ対策や夏場のエアコンの風にも苦慮していた。  本発明は常時車イスに取り付けておける多種機能付き車イス用防寒具を提供する。【解決手段】  足先から肩首元まで大きい縦長の布地を布体とし、布体下部先端にマチを設け折り返し足防寒具を形成、布体の膝部左右に幅広布を連結し膝掛けを形成、膝部上下左右に車イスに固定及び収納する為のゴムベルトを設け、布体中央部左右にも幅広布を連結し腰防寒具を形成、布体肩首元に横長幅広布を左右対称になるよう連結しケープを形成、グリップに取り外しのできる手防寒具を設けたことを特徴とする多種機能付き車イス用防寒具。【選択図】図８
2016120255.tif 000002
【特許請求の範囲】
【請求項１】
足先から肩首元まで大きい縦長の布地を布体とし、布体下端にマチを設け折り返し足防寒具を形成、布体の膝部左右に幅広布を連結し膝掛けを形成、膝部上下左右に車イスに固定及び収納する為のゴムベルトを設け、布体中央部左右にも幅広布を連結し腰防寒具を形成、布体肩首元に横長幅広布を左右対称になるよう連結しケープを形成、グリップに取り外しのできる手防寒具も設けた多種機能付き車イス用防寒具。
【発明の詳細な説明】
【技術分野】
【０００１】  本発明は、車イスを使用する人の為、１枚の布地に連結された足防寒具・膝掛け・腰防寒具・ケープ等を常時車イスに取り付けることができ、また取り外しのできる手防寒具も完備、介助する人にも簡便で必要に応じて個別にも使用可能で暖かい多種機能付き車イス用防寒具に関するものである。
【背景技術】
【０００２】  従来のものは車イス使用時に寒さ対策の為、毛布で体を包んだり膝掛けや上着等を別々に用意していた。またその都度後片付けもしていた。
【先行技術文献】
【特許文献】
【０００３】
【特許文献１】特開２００６−２７１９２９公報
【特許文献２】特開２０１３−７９４５８公報
【特許文献３】特開２００７−３１４９２２公報
【特許文献４】特開２００２−２１２８０８公報
【特許文献５】実登３０９６４２９号公報
【特許文献６】実登３１８４２９５号公報
【特許文献７】実登３０６７２８９号公報
【発明の概要】
【発明が解決しようとする課題】
【０００４】  車イス使用時の防寒対策として、常に取り付けておく車イス用防寒具がない為、膝掛けと上着等別々に用意しなければならず、介助者が着せたり掛けたりして準備や使用後の片づけに時間を要していた。
また膝掛けは、ずり落ちることもあり、前部分だけの保温なので背面や足腰の防寒が不足し隙間風等の寒さ対策や夏場のエアコンの風にも苦慮していた。
本発明は以上の問題点を解決しようとするものである。
【課題を解決するための手段】
【０００５】  足先から肩首元まで大きい縦長の布地を布体とし、布体下端で折り返した範囲の両側にマチ部を設け足防寒具を形成、布体の下部左右に幅広布を連結し膝掛けを形成、下部上下左右に車イスに固定及び収納する為のゴムベルトを設け、布体中央部左右にも幅広布を連結し腰防寒具を形成、布体上端に横長幅広布を左右対称になるよう連結しケープを形成、グリップに取り外しのできる手防寒具も別途設けている。
以上の構成からなる多種機能付き車イス用防寒具。
【発明の効果】
【０００６】  従来車イスに常時取り付け可能な防寒具はなく、使用時その日の天候に合わせて用意していた。
本発明により、足・膝・腰・肩・首を保温することができる防寒具が１枚の布につながっているので車椅子に常時取り付けられる上、手防寒具も別途完備。着脱が容易にでき、災害時や緊急時にも必要に応じて利用が即可能。２枚合わせ仕立てなのでリバーシブル使いもでき、尚且つ隙間風対策も万全で問題点を解決することができる。
【図面の簡単な説明】
【０００７】
【図１】本発明の展開図
【図２】本発明の車椅子装着展開図
【図３】本発明の収納装着図
【図４】本発明の足元防寒使用図
【図５】本発明の膝掛け使用状態を示す斜視図
【図６】本発明の腰防寒使用図
【図７】本発明のケープ着用図
【図８】本発明の使用状態を示す斜視図
【図９】本発明の手防寒具正面図
【発明を実施するための形態】
【０００８】  以下、本発明の実施の形態を説明する。
縦長布体（Ａ）の上端に肩首元を背面から前面にかけて覆うための横長幅広布を左右対称になるよう中心で縫い合わせケープ（１９）を形成する。布体（Ａ）中央部左右に太もも辺りから腰までを背面から前面にかけて覆う幅広布を連結し腰防寒具（１８）を本体１００の中心を対称に一対形成する。
【０００９】  布体（Ａ）下部左右に足首から太ももまでを背面から前面にかけて覆う幅広布を中央部の幅広布と十分重なるように連結し膝かけ（１７）を本体１００の中心を対称に一対形成する。
布体（Ａ）下端で折り返した範囲の側面にマチ部（４）を有する足防寒具（１６）を設ける。足防寒具（１６）先端、すなわち前記の折り返した部分の左右に収納時使用するためのループ（３）を設け上方側部位置に足防寒具（１６）を固定するためゴムベルト（１ｂ）と係止するボタン（５）を設ける。このゴムベルト（１ｂ）の端部には穴を設けている。
【００１０】  膝かけ（１７）上端部にベルト部（４０）を設ける。ベルト部（４０）の一端には第一係止部（６）が、多端には第一付止部（７）を設ける。また、膝かけ（１７）の上他端部、すなわち布体（Ａ）との連結付近にズレ防止とサイズ調節のためのテープ（８）を設ける。
腰防寒具（１８）上部の両端にもベルト部（３０）を設ける。ベルト部（３０）の一端には第一係止部（６）が、多端には第一付止部（７）を設ける。また、腰防寒具（１８）の上他端部、すなわち布体（Ａ）との連結付近にズレ防止とサイズ調節のためのテープ（８）を設ける。ここでの係止部、付止部は面ファスナーが最適だと考えられる。
【００１１】  膝かけ連結部分から裏上下左右４ヵ所に車イスに固定するためのベルト部（５０）を設ける。このベルト部（５０）はゴムベルト（１ａ）の端部に穴を有し、前記穴と結合するためボタン（２）を布体（Ａ）の連結付近に設けている。また、ゴムベルト（１ａ）は膝かけ（１７）を収納するときにも利用するため調節穴を複数設けている。
布体（Ａ）下部の表上下左右４ヵ所に膝かけ（１７）を収納する時に利用する為のボタン（１１ａ）とボタン（１１ｂ）を設ける。ボタン（１１ａ）は足防寒具（１６）を収納する時にも使用する。
【００１２】  布体（Ａ）中央部は座位になるため、車イスに装着する際すぐ分かるように座位位置を示す布テープで２本のライン（１０）を設けることが好ましい。
布体（Ａ）上端は肩にかかる部分なので、上方は装着しやすいように丸みをおびている。
布体（Ａ）上端の下方両側に本体中心を対称として、ベルト（９ａ）とベルト（９ｂ）を設ける。
ベルト（９ａ）は車イスの背部に固定するため、装着性を考えてベルト（９ｂ）より長くなっている。結合するためベルト（９ａ）の先端には茄子カンを設け、ベルト（９ｂ）の先端にはＤカンを設けている。ここでのベルト（９ａ）は調節のできるゴムベルトが最適と考えられる。
【００１３】  布体（Ａ）上端中心の縫い合わせた部分を首元とし、左右を肩に掛けてケープ（１９）の前面を作る。前を留めるためボタン（１２）とボタン穴（１３）あるいは面ファスナーを設ける。上部上方位置左右にボタン穴（１５）を設け中位置左右のボタン（１４）と結合することによって袖口が形成される。取り外しのできる手防寒具（２０）を別途設けている。この手防寒具（２０）にはファスナー（２１）付きのポケット（２２）とグリップに掛けるためベルト紐（２３）を設けている。
ベルト紐（２３）の両端に輪状態を作るため係止部と付止部を装着している。
【００１４】  本発明は以上のような構造である。
本発明を使用するときは、布体（Ａ）中央部にある２本のライン（１０）を車イスの座位に合わせる。布体（Ａ）下部上下左右４ヵ所に設けたゴムベルト（１ａ）で車イスのパイプを囲み、ボタン（２）に留めて車イスに固定する。膝かけ（１７）を収納する為、布体（Ａ）下部の左右に連結する幅広布を、第一係止部（６）第一付止部（７）と一緒に端から丸め込み、ゴムベルト（１ａ）で囲んで上下左右４ヵ所のボタン（１１ａ）（１１ｂ）に留めて固定し収納する。
【００１５】  布体（Ａ）足防寒具（１６）下端左右角にあるループ（３）を布体（Ａ）下部上側左右にあるボタン（１１ａ）すなわち膝かけ収納と同じ位置に留めて共有する。布体（Ａ）中央部は座位に畳んで座布団とし、布体（Ａ）上端の下方両側ベルト（９ａ）とベルト（９ｂ）を車イスの背後で結合し固定する。布体（Ａ）上部は３つ折りに畳んで背当てあるいは座布団とする。これらすべて車イスに常時収納することができ、また、収納している防寒具は使用する際必要に応じ、それぞれの機能を広げることにより個別に使用できる。
【００１６】  手防寒具（２０）にはファスナー（２１）付きポケット（２２）とベルト紐（２３）が装着されている。ポケット（２２）には財布や小物を入れられ、またカイロ等入れて保温することもでき中の物が落ちないようにファスナー（２１）をとりつけている。手防寒具（２１）を使用するときは肘かけや中央部のテープ（８）に通して使用する。収納時はベルト紐（２３）をグリップにかけて背当て布とする。全体２枚合わせ仕立てなのでリバーシブル仕様もできる。
【符号の説明】
【００１７】Ａ  布体
１ａ  ゴムベルト、１ｂ  ゴムベルト、２  ボタン、３  ループ、４  マチ部、５  ボタン、６  第一係止部、７  第一付止部、８  テープ、９ａ  ベルト、９ｂ  ベルト、１０  ライン、１１ａ  ボタン、１１ｂ  ボタン、１２  ボタン、１３  ボタン穴、１４  ボタン、１５  ボタン穴、１６  足防寒具、１７  膝掛け、１８  腰防寒具、１９  ケープ、２０  手防寒具、２１  ファスナー、２２  ポケット、２３  ベルト紐、３０、４０、５０  ベルト部
【図１】
2016120255.tif 000003
【図２】
2016120255.tif 000004
【図３】
2016120255.tif 000005
【図４】
2016120255.tif 000006
【図５】
2016120255.tif 000007
【図６】
2016120255.tif 000008
【図７】
2016120255.tif 000009
【図８】
2016120255.tif 000010
【図９】
2016120255.tif 000011